【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
体内腔に配置された医療装置を回収するための回収カテーテルであり、
前記回収カテーテルの遠位シャフト部を通って第１近位ガイドワイヤポートから第１遠位ガイドワイヤポートまで伸びている第１のガイドワイヤ内腔と、
前記回収カテーテルの遠位シャフト部を通って第２近位ガイドワイヤポートから第２遠位ガイドワイヤポートまで伸びている第２のガイドワイヤ内腔と、を備え、
前記第１のガイドワイヤ内腔は、第１のガイドワイヤの遠位端部より遠位に固定された前記医療装置を取り返す大きさに形成された遠位端部を持ち、前記ガイドワイヤは前記第１ガイドワイヤ内腔の中を通るように伸びており、
前記第２ガイドワイヤ内腔は、前記第１ガイドワイヤから半径方向にずれており、前記医療装置が取り返された後、前記遠位端部を過ぎて前進するように前記第１ガイドワイヤとは個別に操作できる第２ガイドワイヤを受け入れている
ことを特徴とする、回収カテーテル。
【請求項２】
前記第１ガイドワイヤ内腔の前記遠位端部及び前記ガイドワイヤが通る中央開口の中に摺動自在に受け入れられるように最大外形が構成された、円錐の先端部を更に備え、
前記回収カテーテルが前記体内腔において前記医療装置に向かって遠位方向に前進させられる際に前記先端部の先端は前記遠位端部から遠位方向にはみ出ることを特徴とする、請求項１に記載の回収カテーテル。
【請求項３】
前記第１ガイドワイヤ内腔の内で長さ方向における前記先端部の位置を規定するために、前記先端部に固定された引きワイヤを更に備えることを特徴とする、請求項２に記載の回収カテーテル。
【請求項４】
前記医療装置は栓塞保護装置を含むことを特徴とする、請求項１に記載の回収カテーテル。
【請求項５】
前記回収カテーテルの近位シャフト部に連結された遠位部と、前記引きワイヤに固定されておりかつ前記遠位部に対して長さ方向に可動である近位部とを持つ近位作動装置を更に備え、
前記近位部を前記遠位部に対して動かすことで前記先端部は前記第１ガイドワイヤ内腔の前記遠位端部内で長さ方向に移動されることを特徴とする、請求項３に記載の回収カテーテル。
【請求項６】
前記回収カテーテルは高速交換が可能なように構成されていることを特徴とする、請求項１に記載の回収カテーテル。
【請求項７】
前記先端部は前記第１ガイドワイヤ内腔の前記遠位端部と摩擦接触することを特徴とする、請求項２に記載の回収カテーテル。
【請求項８】
体内腔の第１インターベンション手術部位より遠位の位置に配置され、第１ガイドワイヤに固定された栓塞保護装置を回収するための方法であり、
回収カテーテルを前記第１ガイドワイヤに沿って前記栓塞保護装置より近位の位置に前進させる工程と、
潰された前記栓塞保護装置を前記回収カテーテルの第１ガイドワイヤ内腔の中に取り返す工程と、
第２ガイドワイヤを、前記回収カテーテルの第２ガイドワイヤ内腔を通して第２のインターベンション手術部位に前進させる工程と、
前記第２ガイドワイヤをそのまま残しながら、前記栓塞保護装置及び前記第１ガイドワイヤと共に前記回収カテーテルを取り除く工程と、を含み、
前記回収カテーテルは前記回収カテーテルの遠位シャフト部を通って第１近位ガイドワイヤポートから第１遠位ガイドワイヤポートまで伸びる前記第１のガイドワイヤ内腔と、前記回収カテーテルの前記遠位シャフト部を通って第２近位ガイドワイヤポートから第２遠位ガイドワイヤポートまで伸びる前記第２のガイドワイヤ内腔と、を備え、
前記第１ガイドワイヤ内腔は、前記栓塞保護装置を潰された状態で取り返す大きさに形成された遠位端部を持ち、前記第１ガイドワイヤは前記第１ガイドワイヤ内腔の中を通るように伸びており、
前記第２ガイドワイヤ内腔は、前記第１ガイドワイヤから半径方向にずれており、前記第１ガイドワイヤとは個別に操作できる第２ガイドワイヤを受け入れている、
ことを特徴とする、方法。
【請求項９】
前記第１ガイドライン内腔の前記遠位端部に円錐の先端部を提供する工程を更に含み、
前記先端部の尖端は前記遠位端部から遠位方向にはみ出ていることを特徴とする、請求項８に記載の方法。
【請求項１０】
前記先端部は前記第１ガイドワイヤ内腔の前記遠位端部と摩擦接触することを特徴とする、請求項９に記載の方法。
【請求項１１】
前記先端部を、前記先端部に取り付けられた引きワイヤを近位方向に引くことで前記第１ガイドワイヤ内腔の前記遠位端部に前記先端部を取り返すと同時に、潰された前記栓塞保護装置を前記回収カテーテルの前記第１ガイドワイヤ内腔の中に取り返す工程を更に含むことを特徴とする、請求項９に記載の方法。
【請求項１２】
体内腔に配置された医療装置を回収するための回収カテーテルであり、
前記回収カテーテルの遠位シャフト部を通って第１近位ガイドワイヤポートから第１遠位ガイドワイヤポートまで伸びるガイドワイヤ内腔と、
前記第１ガイドワイヤ内腔の遠位端部及びガイドワイヤが通る中央開口に摺動自在に受け入れられるように最大外形が構成された、円錐の先端部と、を備え、
前記ガイドワイヤ内腔は、前記ガイドワイヤの前記遠位端部より遠位に固定された前記医療装置を取り返す大きさに形成された遠位端部を持ち、前記ガイドワイヤは前記ガイドワイヤ内腔の中を通るように伸びており、
前記回収カテーテルが前記体内腔において前記医療装置に向かって遠位方向に前進させられる際に前記先端部の先端は前記遠位端部から遠位方向にはみ出ることを特徴とする、回収カテーテル。
【請求項１３】
前記ガイドワイヤ内腔の内で長さ方向における前記先端部の位置を規定するために前記先端部に固定された引きワイヤを更に備えることを特徴とする、請求項１２に記載の回収カテーテル。
【請求項１４】
前記医療装置は栓塞保護装置を含むことを特徴とする、請求項１２に記載の回収カテーテル。
【請求項１５】
前記先端部は前記ガイドワイヤ内腔の前記遠位端部と摩擦接触することを特徴とする、請求項１２に記載の回収カテーテル。
【請求項１６】
前記引きワイヤは前記先端部に物質的な接続又は力伝達接続によって固定されていることを特徴とする、請求項１２に記載の回収カテーテル。
【請求項１７】
前記回収カテーテルは高速交換が可能なように構成されていることを特徴とする、請求項１２に記載の回収カテーテル。
【請求項１８】
体内腔に配置され、ガイドワイヤに固定された栓塞保護装置を回収するため方法であり、
回収カテーテルを前記ガイドワイヤに沿って前記栓塞保護装置より近位の位置に前進させる工程と、
前記栓塞保護装置を潰す工程と、
潰された前記栓塞保護装置を前記回収カテーテルのガイドワイヤ内腔の中に近位方向に引く工程と、を含み、
前記回収カテーテルは前記回収カテーテルの遠位シャフト部を通して近位ガイドワイヤポートから遠位ガイドワイヤポートまで伸びるガイドワイヤ内腔を備え、
前記ガイドワイヤ内腔は、前記医療装置を潰された状態で取り返す大きさに形成された遠位端部と、前記ガイドワイヤ内腔の前記遠位端部及び前記ガイドワイヤが通る中央開口に摺動自在に受け入れられ、前記遠位端部から遠位方向にはみ出る尖端を持つ、円錐形の先端部と、を備え、
前記ガイドワイヤは前記先端部を長さ方向に沿って通ることを特徴とする、方法。
【請求項１９】
前記先端部に取り付けられた前記引きワイヤを用いて、前記回収カテーテルの前記ガイドワイヤ内腔の中に前記先端部を近位方向に引く工程と、
同時に、前記先端部の形状を実質的に保持するために、潰された前記栓塞保護装置を前記回収カテーテルの前記ガイドワイヤ内腔の中に近位方向に引く工程と、を更に含むことを特徴とする、請求項１８に記載の方法。